(57)【要約】  【課題】開放されたドアの保持を解除する際の操作性が良いドア保持装置を提供することを目的とする。  【解決手段】保持部材（２０）は、バネ（３）に付勢されて移動可能であって、ドアピン部材（１０）の閉方向側に壁面部分（２２ａ１）が対向してドアピン部材（１０）の閉方向移動が不能な状態において、ドアピン部材（１０）に他の壁面部分（２２ｄ）が当接して付勢方向への移動が妨げられて停止し、前記状態からドアピン部材（１０）が開方向移動すると、壁面部（２２ｄ）とドアピン部材（１０）の当接が解除されることによって、付勢方向に移動してドアピン部材（１０）と壁面部分（２２ａ１）とが対向しない位置に至り、ドアピン部材（１０）の閉方向移動を可能とする。【選択図】図７
2010196412.tif 000002
【特許請求の範囲】
【請求項１】
閉方向に移動するドアピン部材（１０）の閉方向側に対向して前記移動を不能な状態とする壁面部分（２２ａ１）を有する保持部材（２０）であって、前記状態から開方向に移動するドアピン部材（１０）の移動に連動して、ドアピン部材（１０）と壁面部分（２２ａ１）とが対向する位置から対向しない位置に至り、ドアピン部材（１０）の閉方向移動を可能とすることを特徴とする保持部材。
【請求項２】
保持部材（２０）は、バネ（３）に付勢されて移動可能であって、ドアピン部材（１０）の閉方向側に壁面部分（２２ａ１）が対向してドアピン部材（１０）の閉方向移動が不能な状態において、ドアピン部材（１０）に他の壁面部分（２２ｄ）が当接して付勢方向への移動が妨げられて停止し、前記状態からドアピン部材（１０）が開方向移動すると、壁面部（２２ｄ）とドアピン部材（１０）の当接が解除されることによって、付勢方向に移動してドアピン部材（１０）と壁面部分（２２ａ１）とが対向しない位置に至り、ドアピン部材（１０）の閉方向移動を可能とすることを特徴とする請求項１に記載の保持部材。
【請求項３】
保持部材（２０）は、前記状態から開方向に移動するドアピン部材（１０）を押圧して縮小させる登り路部（２３）を有し、ドアピン部材（１０）を縮小することによって前記当接が解除されることを特徴とする請求項２に記載の保持部材。
【請求項４】
ばね（３）に付勢されて移動可能な保持部材（２０）は、開方向移動するドアピン部材（１０）が通行する導入路部（２１）と、導入路部（２１）を通過したドアピン部材（１０）が通行すると共にドアピン部材（１０）の閉方向移動を妨げる壁面部分（２２ａ１）を有する中間路部（２２）と、中間路部（２２）を通過したドアピン部材（１０）が開方向に移動して通行すると共にドアピン部材（１０）を縮小させる登り路部（２３）と、登り路部（２３）を通過したドアピン部材（１０）が通行する復路部（２５）を有する保持部材（２０）であって、開方向に移動するドアピン部材（１０）が導入路部（２１）の壁面部分（２１ａ１）に当接して押圧されて付勢反対方向に移動した後、導入路部（２１）を通行するドアピン部材（１０）が中間路部（２２）に至って前記当接が解除されると付勢方向に移動し、付勢方向に移動するに従ってドアピン部材（１０）が中間路部（２２）を通行し、中間路部（２２）の壁面部（２２ｄ）にドアピン部材（１０）が当接して停止することにより、ドアピン部材（１０）の閉方向側に壁面部（２２ａ１）が対向してドアピン部材（１０）の閉方向移動が不能な状態になり、前記状態からドアピン部材（１０）が開方向移動して登り路部（２３）を通過すると、ドアピン部材（１０）と壁面部（２２ｄ）との当接が解除されて付勢方向に移動して停止して、ドアピン部材（１０）の閉方向軌道上に復路部（２５）が位置することを特徴とする保持部材。
【発明の詳細な説明】
【技術分野】
【０００１】
本発明は、開閉可能なドアを開放した位置に保持するためのドア保持部材及び装置に関する。
【背景技術】
【０００２】
従来から、建物内外に取り付けられたドアに関して、開放したドアを保持するドア保持装置として様々なタイプのものが考案されている。
【０００３】
例えば、床に配置した戸当たりに回転可能なリングを設け、このリングをドアに設けたフックに引っ掛けることによって、開放したドアを保持するものが古くから知られている。
【０００４】
近年では、特許文献１に示すように、凹部を有する戸当たりを床面に固定し、この凹部にドア側に設けた上下方向に伸縮可能なピンを嵌め込むことによって、開放したドアを保持するものも存在する。
【０００５】
また、例えば、特許文献２に示すように、ばねを用いて上下方向に伸縮可能な戸当たり本体の上面に係止溝を設け、ドア側に設けた係止体がその溝に嵌り込むことによって、開放したドアを保持するものも存在する。
【先行技術文献】
【特許文献】
【０００６】
【特許文献１】特開２００５−３４４３１５号公報
【特許文献２】特開２０００−４５６０６号公報
【発明の概要】
【発明が解決しようとする課題】
【０００７】
戸当たり側のリングをドア側のフックに引っ掛けるタイプのものは、リングをフックに掛けたり外したりする際に腰を屈めて行う必要があり、特に高齢者等にとっては操作性が良いとはいえない。
【０００８】
次に、特許文献１に記載された、床面に設置した戸当たりの凹部にドア側に設けた上下方向に伸縮可能なピンを嵌め込むタイプのものは、ドア側に設けたピンケースを足で踏む等の操作によってピンが上昇する構造になっており、ドアを保持した状態を解除する際には、ピンを凹部から離脱させる為にピンケースを足で踏む等の操作を行う必要があるため、解除の操作性が良いとはいい難い（特許文献１、段落００１３参照）。
【０００９】
そして、特許文献２に記載された、ばねを用いて上下方向に伸縮可能な戸当たり本体の上面に係止溝を設け、ドア側に設けた係止体が溝に嵌り込んで係止するタイプのものは、ドアを保持した状態を解除する際、ドアを手前方向に引く操作によって、戸当たり本体と係止体との嵌合状態を解除することができるので（特許文献２、段落００１９参照）、操作性は改善されているともいえるが、ドアの取手等の所定部位を握って引く操作によって、負荷のかかる解除操作をしなければならず、身体的にハンディのある等の事情を考慮すると、操作性に改善の余地がある。
【００１０】
そこで、本発明は、開放されたドアの保持を解除する際の操作性が良いドア保持装置を提供することを目的とする。
【課題を解決するための手段】
【００１１】
本発明は、閉方向に移動するドアピン部材（１０）の閉方向側に対向して前記移動を不能な状態とする壁面部分（２２ａ１）を有する保持部材（２０）であって、前記状態から開方向に移動するドアピン部材（１０）の移動に連動して、ドアピン部材（１０）と壁面部分（２２ａ１）とが対向する位置から対向しない位置に至り、ドアピン部材（１０）の閉方向移動を可能とすることを特徴とする保持部材（２０）である。
【００１２】
本発明によれば、ドアピン部材（１０）の閉方向側に壁面部分（２２ａ１）が対向することによって閉方向移動を不能な状態としてドアを保持する一方、ドアピン部材（１０）の開方向への移動のみを可能とすると共に、ドアピン部材（１０）の開方向への移動に連動して位置が変化する保持部材（２０）である。ドアピン部材（１０）と壁面部分（２２ａ１）とが対向する位置から対向しない位置に至ることにより、ドアピン部材（１０）の閉方向移動を可能とする。つまり、ドアピン部材（１０）の開方向移動に連動して、保持部材（２０）はドアピン部材（１０）の閉方向への移動軌道上に壁面部分（２２ａ１）が存する位置から存しない位置へと変位することによって、ドアピン部材（１０）の閉方向への移動軌道上にドアピン部材（１０）の閉方向移動を妨げる障害物（対向する壁面）が存在しない状態になる。したがって、ドアを閉じようとする使用者は、従来技術のように腰を屈めたり、足でドアピン部材を操作したり、或いは、ドアの所定部位を握って閉方向に引く動作を行うことなく、相対的に容易な操作である「押し動作」によって、ドアピン部材（１０）の開方向への移動が不能な状態、即ちドアの開放が保持された状態を解除することができる。
【００１３】
また、開放したドアは壁面に近接した位置で保持される場合が多い。この位置で保持されるドアと壁面との間が袋小路となって流入した風が抜け難く、壁面に対向するドア面には反対側のドア面よりも相対的に大きな風圧がかかるため、引く方向に操作して保持を解除するタイプのドア保持装置では、同方向に大きな風圧がかかって不用意な解除が生じる恐れがあり、予期せず人が挟まれる等の危険性も懸念される。
【００１４】
本発明のように、相対的に容易な操作である「押し動作」によって、ドアピン部材（１０）の開方向への移動が不能な状態、即ちドアの開放が保持された状態から保持を解除するものであれば、同方向に大きな風圧がかかっても不用意な解除が生じる恐れがなく有用である。
【００１５】
また、本発明は、保持部材（２０）は、ばね（３）に付勢されて移動可能であって、ドアピン部材（１０）の閉方向側に壁面部分（２２ａ１）が対向してドアピン部材（１０）の閉方向移動が不能な状態において、ドアピン部材（１０）に他の壁面部分（２２ｄ）が当接して付勢方向への移動が妨げられて停止し、前記状態からドアピン部材（１０）が開方向移動すると、壁面部（２２ｄ）とドアピン部材（１０）の当接が解除されることによって、付勢方向に移動してドアピン部材（１０）と壁面部分（２２ａ１）とが対向しない位置に至り、ドアピン部材（１０）の閉方向移動を可能とすることを特徴とする上記した保持部材（２０）にするのが好ましい。
【００１６】
また、本発明の保持部材（２０）は、前記状態から開方向に移動するドアピン部材（１０）を押圧して縮小させる登り路部（２３）を有し、ドアピン部材（１０）を縮小することによって前記当接が解除されることを特徴とする上記した保持部材（２０）にするのが好ましい。
【００１７】
また、本発明は、具体的には、ばね（３）に付勢されて移動可能な保持部材（２０）は、開方向移動するドアピン部材（１０）が通行する導入路部（２１）と、導入路部（２１）を通過したドアピン部材（１０）が通行すると共にドアピン部材（１０）の閉方向移動を妨げる壁面部分（２２ａ１）を有する中間路部（２２）と、中間路部（２２）を通過したドアピン部材（１０）が開方向に移動して通行すると共にドアピン部材（１０）を縮小させる登り路部（２３）と、登り路部（２３）を通過したドアピン部材（１０）が通行する復路部（２５）を有する保持部材（２０）であって、開方向に移動するドアピン部材（１０）が導入路部（２１）の壁面部分（２１ａ１）に当接して押圧されて付勢反対方向に移動した後、導入路部（２１）を通行するドアピン部材（１０）が中間路部（２２）に至って前記当接が解除されると付勢方向に移動し、付勢方向に移動するに従ってドアピン部材（１０）が中間路部（２２）を通行し、中間路部（２２）の壁面部（２２ｄ）にドアピン部材（１０）が当接して停止することにより、ドアピン部材（１０）の閉方向側に壁面部分（２２ａ１）が対向してドアピン部材（１０）の閉方向移動が不能な状態になり、前記状態からドアピン部材（１０）が開方向移動して登り路部（２３）を通過すると、ドアピン部材（１０）と壁面部（２２ｄ）との当接が解除されて付勢方向に移動して停止して、ドアピン部材（１０）の閉方向軌道上に復路部（２５）が位置することを特徴とする保持部材（２０）とするのが好ましい。
【発明の効果】
【００１８】
本発明は、従来技術のように、腰を屈めたり、足でドアピン部を操作したり、或いは、ドアの所定部位を握って閉方向に引く動作を行うことなく、相対的に容易な操作である「押し動作」によって、ドアピン部材の開方向への移動が不能な状態、即ちドアの開放が保持された状態から、保持を解除することができる。
【図面の簡単な説明】
【００１９】
【図１】本発明の実施態様における平面図及び側面図
【図２】図２のＡ―Ａ線断面図及びＢ―Ｂ線断面図
【図３】ドア幅方向におけるホルダーの位置調整を説明する図
【図４】施工前の位置決めを説明する平面図及びＣ―Ｃ線断面図。
【図５】本発明の実施態様における斜視図
【図６】本発明の実施態様の分解図
【図７】本発明の実施態様の分解図
【図８】本発明の実施態様の保持部材２０の位置移動を説明する図
【図９】本発明の実施態様における平面図及びＤ―Ｄ線断面図
【図１０】本発明の実施態様における平面図及びＥ―Ｅ線断面図
【図１１】本発明の実施態様における平面図及びＦ―Ｆ線断面図
【図１２】本発明の実施態様における平面図及びＧ―Ｇ線断面図
【図１３】本発明の他の実施態様を示す平面図
【発明を実施するための形態】
【００２０】
以下、本発明を実施するための形態を示す各図と共に説明する。
【００２１】
本発明は、図１に示すとおり、ドアピン部材１０を有するドア側部Ｘと、ドアピン部材１０の閉方向移動（図１の平面図において右方向移動）を妨げてドアの開放状態を保持する床側部Ｙとからなるドア保持装置である。
【００２２】
（ドア側部Ｘ）
ドアＴに設けられるドア側部Ｘは、図１、２に示すとおり、ドアＴに連結する部分であってドアＴの表面に設けられる連結部材１５と、連結部材１５に対してドアの幅方向に移動して位置調整可能なホルダー１４と、ホルダー１４に対してドアの高さ方向に移動して位置調整可能なドアピンケース１３と、ドアピンケース１３内においてドアの高さ方向に伸縮可能に取り付けられたドアピン部材１０とを有する。
【００２３】
連結部材１５は、図２等に示すように、ドアＴの表面に対して螺子１５ａ等で固定されるものである。
【００２４】
ホルダー１４は、図２等に示すように、基端連結部１４ａとホルダー本体部１４ｂを有する。基端連結部１４ａは、連結部材１５に外嵌して摺動可能なものであり、任意の位置に位置決めする際には、締め付け具１４ｃで締め付けて固定される。具体的には、連結部材１５に形成された凹部１５ｂに対して、基端連結部１４ａに形成された凸部１４ｄが嵌合する態様で摺動可能なものとなる。
【００２５】
ホルダー本体部１４ｂは、ドアピンケース１３をドアの高さ方向に移動可能な態様で把持するものである。具体的には、ホルダー本体部１４ｂにおける円筒状の内周面に螺子構造を形成すると共に、円筒状のドアピンケース１３の外周面の一部（上下方向の中央部分）にも螺子構造を形成することにより、ホルダー本体部１４ｂに対してドアピンケース１３を上下方向に移動可能となる。ドアピンケース１３を調整する際には、レンチ等の回転雄具をドアピンケース１３の上面に形成された回転雌部に差し込んで、ドアピンケース１３を回転させて行う。
【００２６】
ドアピンケース１３の円筒状部分の内方には、ばね１１に付勢されたドアピン部材１０と、ドアピン部材１０に外嵌した抜け止め部材１２とが設けられる。ドアピン部材１０はその下面を上方向に押圧されると上方向に移動ないし縮小し、その押圧が無くなると元の長さに復帰する。
【００２７】
このドア側部Ｘによれば、ドア保持装置の施工が非常に容易になる。すなわち、ドア保持装置は、機能上、ドア側部Ｘのドアピン部材１０と床側部Ｙの保持部材２０との相対的な位置関係が重要になるが、両者を適切な位置に施工するのは必ずしも容易ではなく、施工のやり直し等が必要になる場合を少なくない。本発明のドア側部Ｘであれば、仮に適切な位置に正確に施工できなかった場合でも、ドアピンケース１３をドアの高さ方向に移動したり、図３に示すように、ホルダー１４をドアの幅方向に移動して調整することができるので、施工のやり直し等の必要なくなる。
【００２８】
また、当初は正確に施工できたとしても、日常的な使用や建物構造の歪み等に起因して、ドア側部Ｘのドアピン部材１０と床側部Ｙの保持部材２０との相対的位置関係に変化が生じ、ドア保持装置の機能を阻害する場合もあり得るが、この場合にも、本発明のドア側部Ｘであれば、ドアピン部材１０をドアの高さ方向及び幅方向に移動して調整することができるので、メンテナンスが容易である。
【００２９】
なお、図４に示すように、ドアピン部材１０と床側部Ｙの保持部材２０との相対的位置関係を定める際の施工容易性を考慮して、開方向に移動するドアピン部材１０に最初に当接する部分の目印として、保持部材２０の上面に凹部２６を形成している。
【００３０】
（床側部Ｙ）
床側部Ｙは、図５、６、７に示すように、基部４０と、基部４０に対してスライド可能に取り付けられた保持部材２０と、保持部材２０を付勢するばね３と、基部４０を上側から覆うカバー５０とからなる。
【００３１】
（基部４０）
基部４０は、図７に示すとおり、一体成形された部材であり、床面に固定するための螺子等の固定手段を挿入するための固定用孔４１を有する。
【００３２】
基部４０は、図７に示すとおり、後方向へ傾斜した傾斜床である入口部４６と、保持部材２０の前後方向端面２７、２７にそれぞれ対向近接してスライド移動をガイドする為のレールとして機能する案内壁面部４２、４２と、スライド移動する保持部材２０の左右方向端面２８、２８に対向接触して、ばね３による付勢方向への移動限界位置である初期位置を規定する停止壁面部４３と、初期位置からのばね３による付勢反対方向への移動範囲の限界位置を規定する停止壁面部４４とを有する。
【００３３】
また、基部４０は、図７に示すとおり、ばね３の位置を規定する凹部４５を有する。凹部４５はスプリングであるばね３が嵌入する円弧状に窪んだ部分として形成される。また基部４０は、図示しない保持部材２０の後端面側に形成されたフックが係合するスリット４７を有し、前記フックがスリット２７に係合した状態で保持部材２０の左右方向移動を案内するものである。
【００３４】
（カバー５０）
基部４０を覆うカバー５０は、図７に示すとおり、一体成形物であり、ドアピン部材１０の軌道方向に沿ったスリット５１を有する。カバー５０は、図５、６に示すとおり、保持部材２０及びスプリング３を取り付けた基部４０の外郭を覆うものである。カバー５０と基部４０は、カバー５０の基端壁部５２の内側面が基部４０の外周面４８に対向して外側から覆う態様で連結する。このカバー５０により、床側部Ｘを設置した床面に対してワックスをかける場合でも、保持部材２０にワックスが付着することが殆ど無いため、ワックスが保持部材２０に付着してその移動を妨げるような事態になる恐れがない。
【００３５】
（保持部材２０）
保持部材２０は、図７等に示すとおり、ドアピン部材１０の閉方向移動を不能として、ドアの開放状態を保持するものである。
【００３６】
（保持部材２０の動作）
まず、ドアピン部材１０との関係に基づいて保持部材２０の移動と保持機能を説明する。
【００３７】
図８（ａ）に示す初期位置において、開方向移動（図８において上方向移動）するドアピン部材１０が導入路部２１の傾斜壁面部分２１ａ１を押圧すると、初期位置に存する保持部材２０は、ばね３が縮小する方向である付勢反対方向（図８においては右方向）に移動を開始する。そして、この傾斜壁面部分２１ａ１を押圧しながらこれに沿って移動するドアピン部材１０が湾曲壁面部分２１ａ２との当接が解除される位置となる中間路部２２の始端に至ると（図８（ｂ））、ばね３の付勢方向への移動を許容する状態になって、ばね３が伸展する方向である付勢方向（図８においては左方向）に保持部材２０は復帰移動を開始し、図８（ｃ）のように、ドアピン部材１０は中間路部２２の壁面部２２ｄに係止する。この図８（ｃ）において、ドアピン部材１０に対して壁面部分２２ａ１が対向しているため閉方向移動（図８において下方向移動）は不能であり、ドアは開放状態に保持される。そして、ドアＴの保持を解除し、ドアＴを閉方向に回動しようとする際には、ドアＴを閉方向に回動するのではなく、相対的に容易な操作である押し操作によって開方向にドアを回動させる。ドアピン部材１０は、閉方向への移動は妨げられているが、図８（ｄ）に示すように、開方向（図８において上方向）への移動は許容されている為、前記操作に従って中間路部２２の終端側の路部を通行する。ドアピン部材１０は、中間路部２２の終端側の路部を通過すると、登り路部２３に当接して徐々に縮小してゆき、ドアピン部材１０の付勢反対方向面（図８において右側面）と登り路部２３との当接が解除され、図８（ｅ）のように、保持部材２０は付勢方向（図８において左方向）に移動して初期位置に復帰し、ドアピン部材１０は登頂部２４に至る。登頂部２４に位置するドアピン部材１０は、その閉方向軌道上に閉方向移動を不能とする障害物は存在しないため、保持部材２０の上面である復路部２５を通過することにより、ドアの閉方向への回動が可能となる。
【００３８】
（保持部材２０の構造）
次に、保持部材２０の構造を説明する。
【００３９】
保持部材２０は、図７等に示すとおり、一体成形された成形物であり、上面側に開口した通路が形成されている。この通路はドアピン部材１０が通行する通路である。この通路は、ドアピン部材１０の通行する順に、導入路部２１と、中間路部２２と、登り路部２３と、復路部２５とからなる。
【００４０】
（導入路部２１）
導入路部２１は、図９等に示すとおり、ドアピン部材１０を保持部材１０の外方から内方へと導入するための路である。導入路部２１は、直線部分と、直線部分から方向転換する屈曲部分を経て、中間路部２２に繋がるものである。具体的には、導入路部２１の始端側は、ドアピン部材１０の軌道方向（図９等の平面図において左右方向）と交差して鈍角（図９等の平面図において左右方向線と、導入路部２１の壁面２１ａ１との間に形成される角度のうち進行方向側の角度）を形成する方向に延びる路部であり、導入路部２１の終端側は、屈曲してドアピン部材１０の軌道方向に延びる終端側の路部とで構成される。
【００４１】
仔細には、導入路部２１は、図９等に示すとおり、開方向に移動するドアピン部材１０に最初に当接する壁面部２１ａ（２１ａ１，２１ａ２）と、壁面部２１ａに沿うように所定間隔（ドアピン部材１０の直径より若干大きい程度の幅）を隔てて対向する壁面部２１ｂと、壁面部２１ａと壁面部２１ｂの間に位置し、上り勾配の傾斜面である路面部２１ｃとで構成される。
【００４２】
壁面部２１ａは、開方向に移動するドアピン部材１０に最初に当接する部分であると共にドアピン部材１０の軌道方向に対して交差する方向に延びる傾斜壁面部分２１ａ１と、中間路部２２の始端に繋がる湾曲壁面部分２１ａ２を有する。具体的には、壁面部２１ａは、ドアピン部材１０の軌道方向に対して直交して対向するのではなく、軌道方向と交差して鈍角を形成する方向に傾斜する傾斜壁面部分２１ａ１を有する。
【００４３】
図９に示す初期位置において、開方向移動するドアピン部材１０が壁面部２１ａの傾斜壁面部分２１ａ１を押圧すると、初期位置に存する保持部材２０は、図１０に示すように、ばね３が縮小する方向（図１０等の平面図において下方向）に移動を開始する。そして、この傾斜壁面部分２１ａ１を押圧しながらこれに沿って移動するドアピン部材１０が湾曲壁面部分２１ａ２との当接が解除される位置である中間路部２２の始端にまで至ると、図１１に示すように、ばね３が伸展する方向への移動を一旦許容する状態になって、ばね３が伸展する方向（図１１等の平面図において上方向）に保持部材２０は復帰移動を開始する。
【００４４】
（中間路部２２）
保持部材２０が復帰移動を開始すると、ドアピン部材１０は中間路部２２を通行するが、この中間路部２２は、直線部分と、直線部分から方向転換するＬ字状の屈曲部分と、屈曲部分に繋がる直線部分を経て、登り路部２３に繋がる。具体的には、中間路部２２の始端側は、ドアピン部材１０の軌道方向と交差して鋭角（図１１等の平面図において左右方向線と、中間路部２２の壁面部分２２ｂ３との間に形成される角度のうち進行方向側の角度）を形成する方向に延びる路部であり、中間路部２２の中央は、ドアピン部材１０の軌道方向に直交する方向から軌道方向に屈曲したＬ字状の路部であり、中間路部２２の終端側は、ドアピン部材１０の軌道方向に延びる路部である。
【００４５】
仔細には、中間路部２２は、導入路部２１の路面部２１ｃよりも相対的に低く形成されて段差を介して繋がる路面部２２ｅと、壁面部２２ｂ（２２ｂ１、２２ｂ２、２２ｂ３）と、壁面部２２ｂと屈曲点Ｃ３を介して繋がる壁面部２２ｃと、壁面部２２ｂに部分的に対向する壁面部２２ａ（２２ａ１、２２ａ２）と、壁面部２２ａと屈曲点Ｃ４を介して繋がる壁面部２２ｄとからなる。
【００４６】
壁面部２２ｂ（２２ｂ１、２２ｂ２、２２ｂ３）は、ドアピン部材１０の軌道方向（図１１等の平面図において左右方向）に延びる直線壁部分２２ｂ１と、屈曲点Ｃ１を経てドアピン部材１０の軌道方向に直行する方向（図１１等の平面図において上下方向）に延びる直線壁部分２２ｂ２と、軌道方向に交差して鋭角（図１１等の平面図において左右方向線と、中間路部２２の壁面部分２２ｂ３との間に形成される角度のうち進行方向側の角度）を形成して傾斜する傾斜壁面部分２２ｂ３とからなる。
【００４７】
壁面部２２ａ（２２ａ１、２２ａ２）は、ドアピン部材１０の軌道方向に交差して鈍角（図１１等の平面図において左右方向線と、中間路部２２の壁面部分２２ａ２との間に形成される角度のうち進行方向側の角度）を形成して傾斜する傾斜壁面部分２２ａ２と、傾斜壁面部分２２ａ２と屈曲点Ｃ５を介して繋がると共にドアピン部材１０の軌道方向に対して直交する方向に延びる壁面部分２２ａ１とからなる。壁面部分２２ａ１は、後述する壁面部分２２ｄに係止したドアピン部材１０の開方向移動側面（図１１等の平面図において左側面）に対向し、ドアピン部材１０の開方向移動を不能にする。閉方向移動しようとするドアピン部材１０が壁面部分２２ａ１を押圧しても、保持部材２０自体は基部４０の案内壁面部４２の間において平面図中左右方向への移動できない状態であるため、保持部材２０は移動しない。
【００４８】
壁面部２２ｄは、ばね３が伸展する方向（図１１等の平面図において上方向）に直交する方向（同図において左右方向）に延びる壁面であって、壁面部分２２ａ１に連続して一体的にＬ字状の壁面を形成するものである。中間路部２２を通行するドアピン部材１０の付勢反対方向面（同図において下側面）に当接して係止し、保持部材２０の付勢方向移動を停止させるものである。
【００４９】
したがって、導入路部２１を通過したドアピン部材１０は、中間路部２２内において、傾斜面部分２２ｂ３に沿って案内されて壁面部２２ｄに係止すると共に、壁面部２２ａ１に対向する為に閉方向移動が不能となり、ドアは開放状態に保持される。
【００５０】
次に、前記ドアの保持を解除し、ドアを閉方向に回動しようとする際の動作について説明する。ドアを閉方向に回動するのではなく（回動不能）、相対的に容易な操作である押し操作によって開方向にドアを回動させる。ドアピン部材１０は、図１１に示す位置において、閉方向（同図中左方向）への移動は妨げられているが、開方向（同図中右方向）への移動は許容されている為、前記操作に従って中間路部２２の終端側の路部をドアピン部材１０は通行する。
【００５１】
（登り路部２３、登頂部２４）
ドアピン部材１０は、図１２に示すとおり、中間路部２２の終端側の路部を通過すると、登り路部２３に至る。登り路部２３は、中間路部２２と登頂部２４との間に形成された上がり勾配の傾斜面からなる。開方向へ移動して登り路部２３を通過するドアピン部材１０は、傾斜面に徐々に押圧されることにより、ばね１１が縮小し、それに従ってドアピン部材１０も上方向に移動ないし縮小する。ドアピン部材１０の移動ないし縮小に伴ってドアピン部材１０の付勢反対方向面（図１２等の平面図において下側面）と登り路部２３との当接が解除されるため、保持部材２０はばね３の伸展する方向に移動して初期位置に復帰し、ドアピン部材１０は登頂部２４に至る。
【００５２】
登頂部２４は、保持部材２０の上面よりも若干低く凹んだ部分であるが、ドアピン部材１０の閉方向への移動を阻害するものではない。
【００５３】
復帰した初期位置において登頂部２４に位置するドアピン部材１０は、図１２に示すとおり、その閉方向軌道上に閉方向移動を妨げる障害物は存在せず、閉方向軌道上には保持部材２０の上面である復路部２５が位置するため、ドアの閉方向への回動が可能になる。
【００５４】
このような保持部材２０であれば、ドアピン部材１０の閉方向側に壁面部分２２ａ１が対向することによって閉方向移動を不能な状態としてドアを保持する一方、ドアピン部材１０の開方向への移動を可能とすると共に、ドアピン部材１０の開方向への移動に連動して位置が変化する保持部材２０であることから、ドアピン部材１０と壁面部分２２ａ１とが対向する位置から，対向しない位置に至ることにより、ドアピン部材１０の閉方向移動を可能とすることができる。つまり、保持部材２０は、ドアピン部材１０の開方向移動に連動して、ドアピン部材１０の閉方向への移動軌道上に壁面部分２２ａ１が存する位置から存しない位置へと移動することによって、ドアピン部材１０の閉方向への移動軌道上にその閉方向移動を妨げる障害物が存在しない状態にすることができる。したがって、ドアを閉じようとする使用者は、従来技術のように腰を屈めたり、足でドアピン部を操作したり、或いは、ドアの所定部位を握って閉方向に引く動作を行うことなく、相対的に容易な操作である「押し動作」によって、ドアピン部材１０の開方向への移動が不能な状態、即ちドアの開放が保持された状態から、保持を解除することができる。
【００５５】
また、開放したドアは壁面に近接した状態で保持される場合が多いが、ドアと壁面との間に流入した風が抜け難く、壁面に対向するドア面には反対側ドア面よりも相対的に大きな風圧がかかるので、引く方向に操作して保持を解除するタイプのドア保持装置では、不用意な解除が生じる恐れがあり、予期せず人が挟まれる等の危険性も懸念されるが、本発明のように、相対的に容易な操作である「押し動作」によって、ドアピン部材１０の開方向への移動が不能な状態、即ちドアの開放が保持された状態から解除すれば、その懸念は軽減される。
【００５６】
（他の実施形態）
なお、図１３は、他の実施態様を示すものであり、保持部材２０の通路内にばねＳを設けた点のみ異なる。図１３のように、保持部材２０の中間路部２２の終端側にばねＳを取り付けている。ばねＳは中間路部２２を通行するドアピン部材１０に当接して付勢反対方向に変位してドアピン部材２０の通行を許容する際に、抵抗力を付与しつつ、一定程度の距離を通行した後には、ドアピン部材１０に対してばねＳの付勢方向（同図中右方向）に押圧力を与えて登り路部２３・登頂部２４の方向に移動し易くするものである。
【００５７】
また、上記他の実施態様においては、保持部材２０とは別体のばねＳを用いているが、当該ばねＳに代えて、保持部材２０自体にばね作用を有する部分を設けて一体的に成形することも可能である。
【符号の説明】
【００５８】
１０  ドアピン部材
２０  保持部材
２１  導入路部
２２  中間路部
２２ａ１  壁面部分
２２ｄ    壁面部分
３  ばね
４０  基部
５０  カバー
【図１】
2010196412.tif 000003
【図２】
2010196412.tif 000004
【図３】
2010196412.tif 000005
【図４】
2010196412.tif 000006
【図５】
2010196412.tif 000007
【図６】
2010196412.tif 000008
【図７】
2010196412.tif 000009
【図８】
2010196412.tif 000010
【図９】
2010196412.tif 000011
【図１０】
2010196412.tif 000012
【図１１】
2010196412.tif 000013
【図１２】
2010196412.tif 000014
【図１３】
2010196412.tif 000015